(57)【要約】      （修正有）【課題】収容する商品の上部が露出する身箱を用いた場合であっても、蓋に接着剤を使用することなく収容する商品に荷重がかかることを防止できる手段を有した包装箱を提供する。【解決手段】第一係止片１６ａに連設している第二係止片１６ｂを矢印Ｄ、Ｅ方向に折り曲げ、折込片５Ｂに連設している第一係止片１６ａを矢印Ｆ、Ｇ方向に折り曲げ、側壁１２Ｂに連設している折返壁３Ｂを、矢印Ｂ方向に折り曲げる。これにより、折込片１４は側壁１２Ｂと折返壁３Ｂとの間に挟着され、且つ折込片５Ｂが天壁１１に重合し、第一係止片１６ａが側壁１２Ａ、１２Ｃに重合し、第二係止片１６ｂが折返壁３Ｂ及び折込片５Ｂに当接し、身箱の周壁上端と係止する係止段部１６が、蓋１０の隣接する側壁１２Ａ〜１２Ｄの稜部上端に形成される。【選択図】図６
0003174217.tif 000002
【実用新案登録請求の範囲】
【請求項１】
底壁、該底壁の周囲に連設される周壁を備えた上端開口の身箱と、該身箱に外嵌する、一枚の平面状に形成されたシート材を折り曲げることにより、天壁、該天壁の周囲に連設されて周壁を形成する、互いに対向する一対の第一側壁及び前記第一側壁に対して直交した状態で互いに対向する一対の第二側壁、を備えた下端開口の蓋とから成る直方体状の包装箱であって、
前記蓋は、前記第一側壁の４辺の内の互いに平行で前記天壁に連設されない２辺に夫々連設され、前記第二側壁の内側と重合する一対の接続片と、前記第二側壁の４辺の内の前記天壁とは反対側の１辺に連設され、前記第二側壁の内側と重合する係止段部が設けられた折返壁と、を備え、
前記蓋を組み立てる際、前記折返壁を折り曲げて前記第二側壁に重合して、前記接続片を該折返壁と該第二側壁とで挟着すると共に、前記係止段部が、前記天壁の下方で内向きに突出し、これにより前記蓋を前記身箱に外嵌したとき、前記係止段部が該身箱の前記周壁の上端に係止することを特徴とする包装箱。
【請求項２】
前記折返壁は、前記第二側壁とほぼ同一形状に形成されると共に、該折返壁の４辺の内の前記第二側壁とは反対側の１辺に連設される折込片を備え、
該折込片は、前記折返壁を折り曲げて前記第二側壁に重合したとき、前記天壁と重合することを特徴とする請求項１に記載の包装箱。
【請求項３】
前記折込片は、前記折返壁と連設される辺が、該折返壁の該折込片と連設される辺とほぼ同じ長さの矩形状に形成され、
前記係止段部は、該折込片の４辺の内の互いに平行で前記折返壁に連設されない２辺に夫々連設され、前記折込片を折り曲げて前記天壁と重合したとき、前記第一側壁又は／及び前記折返壁と当接することを特徴とする請求項２に記載の包装箱。
【請求項４】
前記係止段部は、前記折込片に連設される第一係止片と、該第一係止片に連設され、前記折込片に連設されない第二係止片と、を備え、
前記折込片を折り曲げて前記天壁と重合したとき、前記第一係止片は前記第一側壁と重合し、前記第二係止片は、該第一係止片との連設箇所から前記折込片の下方で内向きに突出して前記折返壁と当接することを特徴とする請求項３に記載の包装箱。
【請求項５】
前記第一係止片及び前記第二係止片は、夫々ほぼ同一の略矩形状に形成され、
前記第一係止片の前記折込片と連設される辺は、該折込片の該第一係止片と連設される辺より前記折返壁側から所定区間だけ短く形成され、
前記第二係止片は、該第一係止片の４辺の内の互いに平行で前記折込片に連設されない２辺の内、前記折返壁側に位置する１辺に連設されることを特徴とする請求項４に記載の包装箱。
【考案の詳細な説明】
【技術分野】
【０００１】
本考案は、収容する商品を包装する上端開口の身箱と下端開口の蓋とから成る包装箱に関し、さらに詳しくは、収容する商品の上部が露出する身箱を用いる包装箱に関する。
【背景技術】
【０００２】
従来より、商品を収容して展示及び輸送する場合には、商品を収容する上端開口の身箱と、この身箱とは別体の下端開口の蓋とから成る包装箱が用いられている。この包装箱の中には、蓋をとって店頭で商品を展示する際、見栄えをよくしたり、商品を確認しやすくするため、収容する商品の上部が露出する身箱を用いる場合がある。つまり、この場合には、身箱の周壁の高さは、収容する商品の高さよりも低く形成されるようになっている。
【０００３】
しかして、このような身箱を用いた包装箱は、商品を展示するときは重宝するが、商品を収容して保管したり、輸送したりするときは、その取り扱いが困難となる。即ちこのような身箱を用いた包装箱は、蓋をした状態では、蓋の荷重が直接商品にかかってしまい、さらに、この包装箱を何段にも重ねたり、輸送時に他の物が載せられたりすると、それらの荷重も直接的に商品にかかってしまい、その結果、商品を傷めてしまうという問題点がある。そこで、このような問題点を解消するため、蓋の内側に係止段部を設けて、商品に直接的に荷重がかからない技術が開示されている（特許文献１参照）。
【０００４】
この特許文献１の技術について、図面を参照しながら説明する。図８は、組み立てれば図９に示す蓋Ｐ１０となるシート材Ｐ５１を示す展開図であり、図９は、蓋Ｐ１０の裏側を斜め上方から見た斜視図である。段ボール等から成るシート材Ｐ５１は、天壁Ｐ１１と、該天壁Ｐ１１の各外周縁に、夫々側壁Ｐ１２Ａ、Ｐ１２Ｂ、Ｐ１２Ｃ、Ｐ１２Ｄを連設して形成されている。また、Ｐ１２Ａ、Ｐ１２Ｃには、隣接する側壁Ｐ１２Ｂ、Ｐ１２Ｄに貼着するための糊代Ｐ１４が設けられている。また、隣接する側壁Ｐ１２Ａ〜Ｐ１２Ｄの稜部には、図示しない身箱の周壁の上端に係止するための係止段部Ｐ１６が設けられている。
【０００５】
このように形成されたシート材Ｐ５１を図８に破線で示した折曲線によって折り曲げ組み立てると、図９に示す蓋Ｐ１０となる。この際、係止段部Ｐ１６も、折曲線によって折り込まれ、隣接する側壁Ｐ１２Ａ〜Ｐ１２Ｄの稜部の上端の隅を頂点とした略三角板状に、内向きに突出した状態で形成されることになる。
【０００６】
そして、このように構成された蓋Ｐ１０を上部が露出するように商品を収容した身箱に外嵌すると、係止段部Ｐ１６の下部が身箱の周壁の上端に係止し、その結果、蓋Ｐ１０の天壁Ｐ１１は、身箱の周壁の上端から係止段部Ｐ１６の高さ分だけ上方に浮いた状態で保持される。これにより、商品に直接的に荷重がかることを防止でき、商品を傷めることはない。
【先行技術文献】
【特許文献】
【０００７】
【特許文献１】特開２００４−２５６１７２号公報
【考案の概要】
【考案が解決しようとする課題】
【０００８】
ところで、上記した特許文献１の技術では、蓋Ｐ１０を組み立てる際、糊代Ｐ１４を側壁Ｐ１２Ｂ、Ｐ１２Ｄにホットメルトなどの接着剤にて貼着する構成となっている。しかしながら、この特許文献１のように、蓋を接着剤を使用して組み立てる構成にすると、糊代と側壁とを接着するための専用機が必要になる。周知のように、段ボール等は、打抜装置によってどのような複雑な形状でも一工程で連続した一枚のブランクとして打ち抜かれ、所定の形状に組み立てることができるので、よって、このように専用機が必要になると、専用機の分だけ生産コストがアップしてしまうという問題点がある。
【０００９】
また、接着剤を使用して組み立てる工程では、一般的に機械組で大量生産には向くが、小ロットの生産には不向きで対応が困難という問題点がある。
さらに、露出する高さが異なる商品を収容する場合には、係止段部Ｐ１６を、図８に示す矢印ＰＡ、ＰＢの２方向に、その長さを調整する必要があり、即ち身箱から露出する高さの異なる様々な商品を収容するには、煩わしい作業が必要になり容易に対応できないという問題点もある。
【００１０】
本考案は、上記した問題点に鑑みなされたもので、その目的とするところは、小ロットの生産にも対応でき、収容する商品の上部が露出する身箱を用いた場合であっても、蓋に接着剤を使用することなく収容する商品に荷重がかかることを防止できる手段を有した、美粧性に優れ、且つ露出する高さが異なる商品であっても容易に対処して収容することのできる包装箱を提供することにある。
【課題を解決するための手段】
【００１１】
このような問題を解決するために、本考案の包装箱は、請求項１に記載したように、底壁、該底壁の周囲に連設される周壁（周壁３０）を備えた上端開口の身箱（身箱５０）と、該身箱に外嵌する、一枚の平面状に形成されたシート材（シート材５１）を折り曲げることにより、天壁（天壁１１）、該天壁の周囲に連設されて周壁（周壁１２）を形成する、互いに対向する一対の第一側壁（側壁１２Ａ、１２Ｃ）及び前記第一側壁に対して直交した状態で互いに対向する一対の第二側壁（側壁１２Ｂ、１２Ｄ）、を備えた下端開口の蓋（蓋１０）とから成る直方体状の包装箱（包装箱１）であって、前記蓋は、前記第一側壁の４辺の内の互いに平行で前記天壁に連設されない２辺（折曲線２１）に夫々連設され、前記第二側壁の内側と重合する一対の接続片（折込片１４）と、前記第二側壁の４辺の内の前記天壁とは反対側の１辺（折曲線２２）に連設され、前記第二側壁の内側と重合する係止段部（係止段部１６）が設けられた折返壁（折返壁３Ｂ、３Ｄ）と、を備え、前記蓋を組み立てる際、前記折返壁を折り曲げて前記第二側壁に重合して、前記接続片を該折返壁と該第二側壁とで挟着すると共に、前記係止段部が、前記天壁の下方で内向きに突出し、これにより前記蓋を前記身箱に外嵌したとき、前記係止段部が該身箱の前記周壁の上端（上端３０Ａ）に係止することを要旨とする。
【００１２】
つまり、請求項１に記載の包装箱は、一枚の平面状に形成されたシート材を折り曲げて組み立てられる下端開口の蓋と、上端開口の身箱とで直方体状に構成され、蓋は、天壁と、天壁の周囲に連設されて蓋の周壁を形成する互いに対向する一対の第一側壁及び第二側壁とを備えている。
【００１３】
そして、第一側壁は、第二側壁の内側と重合する一対の接続片を、第二側壁は、この第二側壁の内側と重合する折返壁を備えており、折返壁を折り曲げて第二側壁の内側に重合して蓋を組み立てたとき、この折り曲げた折返壁と第二側壁とで接続片を挟み込んで挟着する。さらに、折返壁は係止段部を備えており、折返壁を折り曲げて蓋を組み立てたとき、この係止段部が天壁の下方で内向きに突出し、これにより、蓋を身箱に外嵌したとき、係止段部が身箱の周壁の上端に係止する。
【００１４】
従って、このように構成される本考案の包装箱においては、収容する商品の上部（Ｔ４）が露出する身箱に対して、商品に直接的に荷重がかることを防止できる係止段部を備えた蓋を組み立てるとき、接着剤を使用することなく、接続片を固定して係止段部を形成することができるので、接着するための専用機が必要なく、その結果、生産コストを抑えることができる。また、接着剤を使用しないので、小ロットの生産にも手組（機械組に対して手折り製函）で容易に対応することも可能となり、さらに、組み立てた蓋を容易に元の一枚のシート材に戻すこともできる。
【００１５】
ここで、折返壁の具体的な構成は、次のようにするとよい。即ち請求項２に記載の包装箱は、請求項１に記載の包装箱において、前記折返壁は、前記第二側壁とほぼ同一形状に形成されると共に、該折返壁の４辺の内の前記第二側壁とは反対側の１辺（折曲線２３）に連設される折込片（折込片５Ｂ、５Ｄ）を備え、該折込片は、前記折返壁を折り曲げて前記第二側壁に重合したとき、前記天壁と重合することを要旨とする。
【００１６】
従って、このように構成される本考案の包装箱においては、折返壁が第二側壁とぴったりと重合し、且つ折込片が天壁と重合するので、これら折返壁の形状及び折込片が折り曲げられている折返壁のストッパーとして機能し、折返壁が元に戻ろうとする方向への移動を規制するので、その結果、接着剤を使用しなくても、強固に接続片を折返壁と第二側壁とで挟着して固定することができる。
【００１７】
また、折込片の具体的な構成は、次のようにするとよい。即ち請求項３に記載の包装箱は、請求項２に記載の包装箱において、前記折込片は、前記折返壁と連設される辺が、該折返壁の該折込片と連設される辺とほぼ同じ長さの矩形状に形成され、前記係止段部は、該折込片の４辺の内の互いに平行で前記折返壁に連設されない２辺に夫々連設され、前記折込片を折り曲げて前記天壁と重合したとき、前記第一側壁又は／及び前記折返壁と当接することを要旨とする。
【００１８】
従って、このように構成される本考案の包装箱においては、折込片が一対の第一側壁の間にぴったりと嵌り込むようにして天壁と重合し、且つ折込片に連設された係止段部が第一側壁又は／及び折返壁と当接するので、上記した請求項２の折返壁の形状に加え、これら折込片及び係止段部が折り曲げられている折返壁のストッパーとして機能し、折返壁が元に戻ろうとする方向への移動を規制するので、その結果、接着剤を使用しなくても、より強固に接続片を折返壁と第二側壁とで挟着して固定することができる。さらに、このように係止段部を折込片に連設する構成としたことで、係止段部を容易に天壁の下方で内向きに突出させて形成することができる。
【００１９】
また、係止段部の具体的な構成は、次のようにするとよい。即ち請求項４に記載の包装箱は、請求項３に記載の包装箱において、前記係止段部は、前記折込片に連設される第一係止片（第一係止片１６ａ、１６ｃ）と、該第一係止片に連設され、前記折込片に連設されない第二係止片（第二係止片１６ｂ、１６ｄ）と、を備え、前記折込片を折り曲げて前記天壁と重合したとき、前記第一係止片は前記第一側壁と重合し、前記第二係止片は、該第一係止片との連設箇所（折曲線２５）から前記折込片の下方で内向きに突出して前記折返壁と当接することを要旨とする。
【００２０】
従って、このように構成される本考案の包装箱においては、係止段部を第一係止片と第二係止片とに分けて形成し、折込片に連設される第一係止片を第一側壁と重合し、且つ第一係止片のみに連設される第二係止片を折込片の下方で内向きに突出して折返壁と当接するので、蓋の周壁等に穴を開けて係止段部を定位置に固定するためのロックする必要がなく、その結果、美粧性に優れた包装箱を形成することができる。さらに、このような係止段部の構成により、折返壁のストッパー機能を強化し、より強固に接続片を折返壁と第二側壁とで挟着して固定することができると共に、係止段部をより簡単な構成で実現することができる。
【００２１】
ここで、係止段部のより具体的な構成として、第一係止片及び第二係止片の構成は次のようにするとよい。即ち請求項５に記載の包装箱は、請求項４に記載の包装箱において、前記第一係止片及び前記第二係止片は、夫々ほぼ同一の略矩形状に形成され、前記第一係止片の前記折込片と連設される辺（折曲線２４）は、該折込片の該第一係止片と連設される辺より前記折返壁側から所定区間だけ短く形成され、前記第二係止片は、該第一係止片の４辺の内の互いに平行で前記折込片に連設されない２辺の内、前記折返壁側に位置する１辺（折曲線２５）に連設されることを要旨とする。
【００２２】
従って、このように構成される本考案の包装箱においては、身箱に収容する商品の露出する高さが異なる場合であっても、係止段部の高さ（Ｔ３）を変更するだけ（一方向だけの変更）で極めて容易に対処することができ、その結果、身箱から露出する高さの異なる様々な商品を容易に収容することが可能となる。また、第一係止片を第一側壁と重合し、且つ第二係止片を折込片の下方で内向きに突出して折返壁と当接する構成を、より簡単な構成で実現することができる。さらに、このような第一係止片及び第二係止片の構成により、折返壁のストッパー機能を強化し、さらに強固に接続片を折返壁と第二側壁とで挟着して固定することができる。
【図面の簡単な説明】
【００２３】
【図１】本実施形態に係わる組み立てれば蓋１０となるシート材５１を示す展開図である。
【図２】本実施形態に係わる組み立てられた蓋１０の裏側を斜め上方から見た斜視図である。
【図３】本実施形態に係わる蓋１０を身箱５０から取り外した状態を示す包装箱１の斜視図である。
【図４】本実施形態に係わる包装箱１において、（Ａ）は組み立てられた蓋１０の背面図、（Ｂ）は商品８０を収容した身箱５０の平面図である。
【図５】本実施形態に係わる蓋１０を商品８０を収容した身箱５０に外嵌した包装箱１の図４におけるＡ−Ａ断面図である。
【図６】本実施形態に係わる折返壁３Ｂ、折込片５Ｂ、係止段部１６（第一係止片１６ａ、第二係止片１６ｂ）の折り曲げ方向を説明するための説明図である。
【図７】本実施形態に係わる折返壁３Ｂ、折込片５Ｂ、係止段部１６（第一係止片１６ａ、第二係止片１６ｂ）が折り曲げられた状態を示す組み立て途中の蓋１０の裏側を斜め上方から見た斜視図である。
【図８】特許文献１に係わる組み立てれば蓋Ｐ１０となるシート材Ｐ５１を示す展開図である。
【図９】特許文献１に係わる蓋Ｐ１０の裏側を斜め上方から見た斜視図である。
【考案を実施するための形態】
【００２４】
１．包装箱１の概要
以下に、本考案の包装箱１に係る実施形態を図面に基づき説明する。まず、図３を参照しながら、本考案の包装箱１の概要について説明する。図３は、矢印Ａで示すように、蓋１０を身箱５０から取り外した状態を示す包装箱１の斜視図である。なお、図３において、蓋１０は、その裏側を斜め上方から見た斜視図で示され、身箱５０は、商品８０を収容した状態で、その表側を斜め上方から見た斜視図で示されている。
【００２５】
包装箱１は、図３に示すように、商品（ハッチング箇所）８０を収容する上端開口の身箱５０と、この身箱５０とは別体の下端開口の蓋１０とから構成されている。身箱５０は、図示するように、収容する商品８０の上部が周壁３０から露出するように形成されている。一方、蓋１０は、その裏側の周壁１２の各稜部上端に係止段部１６を４つ備えており、周壁１２の高さは、身箱５０の周壁３０よりも該係止段部１６のほぼ高さ分だけ長く形成されている。
【００２６】
このように構成される蓋１０を、上部が露出するように商品８０を収容した身箱５０に外嵌すると、係止段部１６の下端が身箱５０の周壁３０の上端３０Ａに係止し、蓋１０の天壁１１は、身箱５０の上端３０Ａから係止段部１６のほぼ高さ分だけ上方に浮いた状態で保持される。係止段部１６の高さは、商品８０の露出部分の高さより予め長く形成されるので、商品８０の上端と蓋１０の天壁１１とは、所定の隙間が形成されて接触することはない。これにより、包装箱１は、商品８０の上部が露出する身箱５０を使用していても、この包装箱１を何段にも重ねたり、輸送時に他の物が載せられたりしても、商品８０に直接的に荷重がかることを防止でき、商品を傷めることはない。
【００２７】
以上のように、本考案の包装箱１の概要を説明したが、以下に、本考案の包装箱１の要旨となる蓋１０の係止段部１６の構成について、図面に基づき詳細に説明する。まず、図１を参照しながら蓋１０のシート材５１の構成について説明する。
【００２８】
２．蓋１０のシート材５１の構成
図１は、組み立てれば図２に示す蓋１０となるシート材５１を示す展開図である。シート材５１は、一枚の段ボール等からなり、周知の打抜装置によって図１に示すような形状に予め連続した一枚のブランクとして打ち抜かれている。また、シート材５１は、蓋１０を作成しやすいように折れ目（罫線）や切れ目（切込線）等が設けられている。なお、図１は、シート材５１を裏側から見た平面図を示している。
【００２９】
図１を参照して、シート材５１は、組み立てれば互いに対向する一対の側壁１２Ａ、１２Ｃと、組み立てれば側壁１２Ａ、１２Ｃに対して直交した状態で互いに対向する一対の側壁１２Ｂ、１２Ｄとを有し、これら側壁１２Ａ、１２Ｂ、１２Ｃ、１２Ｄにより蓋１０の周壁１２を構成する。図中、１１は天壁であり、側壁１２Ａ、１２Ｂ、１２Ｃ、１２Ｄは、組み立てれば天壁１１の四辺に直交するよう、天壁１１の周囲に折曲線１７、１８、１９、２０を介して連設されている。側壁１２Ａ、１２Ｂ、１２Ｃ、１２Ｄ及び天壁１１は夫々矩形であり、側壁１２Ａ、１２Ｃは天壁１１に対して左右対称状に、側壁１２Ｂ、１２Ｄは天壁１１に対して上下対称状に形成されている。なお、図１では、各折曲線に対応して折向きが記されており、本図において「山」は山折りを示し、「谷」は谷折りを示している。
【００３０】
また、側壁１２Ａ、１２Ｃの上下両辺には夫々折込片１４が折曲線２１を介して連設されており、この折込片１４は、略台形状に形成され、側壁１２Ａ、１２Ｃに対して上下対称状に形成されている。また、側壁１２Ｂの上辺及び側壁１２Ｄの下辺には、夫々折返壁３Ｂ、３Ｄが折曲線２２を介して連設されており、この折返壁３Ｂ、３Ｄは、側壁１２Ｂ、１２Ｄと同一の矩形であり、天壁１１及び側壁１２Ｂ、１２Ｄで形成される面に対して上下対称状に形成されている。
【００３１】
また、折返壁３Ｂの上辺及び折返壁３Ｄの下辺には、夫々折込片５Ｂ、５Ｄが折曲線２３を介して連設されており、この折込片５Ｂ、５Ｄは、横寸は側壁１２Ｂ、１２Ｄと同一の矩形に形成され、天壁１１、側壁１２Ｂ、１２Ｄ及び折返壁３Ｂ、３Ｄで形成される面に対して上下対称状に形成されている。
【００３２】
また、折込片５Ｂ、５Ｄの左右両辺には夫々第一係止片１６ａ、１６ｃが折曲線２４を介して連設されており、この第一係止片１６ａ、１６ｃは、略矩形状に形成され、折込片５Ｂ、５Ｄに対して左右対称状に形成されている。また、第一係止片１６ａの下辺及び第一係止片１６ｃの上辺には、夫々第二係止片１６ｂ、１６ｄが折曲線２５を介して連設されており、この第二係止片１６ｂ、１６ｄは、ほぼ第一係止片１６ａ、１６ｃと同じ略々矩形状に形成され、折込片５Ｂ、５Ｄに対して左右対称状に形成されている。そして、第一係止片１６ａと第二係止片１６ｂ、第一係止片１６ｃと第二係止片１６ｄにより、夫々係止段部１６を合計４つ形成する。
【００３３】
つまり係止段部１６は、第一係止片１６ａと第二係止片１６ｂ又は第一係止片１６ｃと第二係止片１６ｄにより夫々同一の形状に形成され、折込片５Ｂ、５Ｄには折曲線２４を介して第一係止片１６ａ、１６ｃのみが連設されている。そして、係止段部１６は、図１に示すように、第一係止片１６ａ、１６ｃ及び第二係止片１６ｂ、１６ｄの横寸はＴ３に形成され、且つ、第一係止片１６ａ、１６ｃの縦寸は、折込片５Ｂ、５Ｄの縦寸よりも夫々所定区間だけ短く形成されている。
【００３４】
３．蓋１０の組み立て
次に、図１〜図７を参照しながら蓋１０の組み立てについて説明する。なお、図２は、組み立てられた蓋１０の裏側を斜め上方から見た斜視図であり、図４は、（Ａ）は組み立てられた蓋１０の背面図、（Ｂ）は商品８０を収容した身箱５０の平面図であり、図５は、図４における蓋１０を商品８０を収容した身箱５０に外嵌した包装箱１のＡ−Ａ断面図であり、図６は、折返壁３Ｂ、折込片５Ｂ、係止段部１６（第一係止片１６ａ、第二係止片１６ｂ）の折り曲げ方向を説明するための説明図、図７は、折返壁３Ｂ、折込片５Ｂ、係止段部１６（第一係止片１６ａ、第二係止片１６ｂ）が折り曲げられた状態を示す組み立て途中の蓋１０の裏側を斜め上方から見た斜視図である。
【００３５】
蓋１０を組み立てるには、シート材５１を図１に示した折曲線１７〜２５に沿って折り曲げていく。まず、側壁１２Ａ、１２Ｂ、１２Ｃ、１２Ｄを折曲線１７〜２０に沿って谷折りにし、次に折込片１４夫々を折曲線２１に沿って谷折りにする。
【００３６】
次に、折返壁３Ｂ、３Ｄ、折込片５Ｂ、５Ｄ、係止段部１６（第一係止片１６ａ、１６ｃ、第二係止片１６ｂ、１６ｄ）を折曲線２２〜２５に沿って折り曲げる。なお、折返壁３Ｂ、折込片５Ｂ、第一係止片１６ａ、第二係止片１６ｂを折り曲げる構成は、折返壁３３Ｄ、折込片５Ｄ、第一係止片１６ｃ、第二係止片１６ｄを折り曲げる構成と同一であるので、以下は、前者の構成についてのみ説明する。図６を参照して、本図では、折返壁３３Ｄ、折込片５Ｄ、第一係止片１６ｃ、第二係止片１６ｄが折り曲げられて蓋１０に既に折り込まれた状態を示しており、一方、折返壁３Ｂ、折込片５Ｂ、第一係止片１６ａ、第二係止片１６ｂは未だ折り曲げられておらず、折返壁３Ｂは側壁１２Ｂから上方に延びて、折込片５Ｂ、第一係止片１６ａ、第二係止片１６ｂと共に、該側壁１２Ｂと共にに天壁１１に対して垂直状に立設（直交）した状態となっている。
【００３７】
この状態から、まず折曲線２５に沿って第一係止片１６ａ下辺に連設している第二係止片１６ｂを、夫々矢印Ｄ及び矢印Ｅ方向に折り曲げる（図１において山折り）。次に、折曲線２４に沿って折込片５Ｂの左右両辺に連設している第一係止片１６ａを、夫々矢印Ｆ及び矢印Ｇ方向に折り曲げる（図１において山折り）。この場合には、第二係止片１６ｂも、第一係止片１６ａに連動して一緒に矢印Ｆ及び矢印Ｇ方向に折り曲がる。次に、折曲線２３に沿って折返壁３Ｂの上辺に連設している折込片５Ｂを、矢印Ｃ方向に折り曲げる（図１において山折り）。そして最後に、側壁１２Ｂの上辺に連設している折返壁３Ｂを、矢印Ｂ方向に折り曲げる（図１において谷折り）。図７は、折返壁３Ｂを矢印Ｂ方向に折り曲げたときの一状態を示しており、この図７に示す状態からさらに折返壁３Ｂを折り曲げていくと、図２に示すように、折返壁３Ｂ、折込片５Ｂ、第一係止片１６ａ、第二係止片１６ｂは蓋１０に折り込まれた状態となり、これにより蓋１０が組み立てられる。
【００３８】
ここで、折返壁３Ｂを矢印Ｂ方向に折り曲げる際、側壁１２Ａ、１２Ｃの端部に設けられた折込片１４は、図６に示すように、側壁１２Ｂと重合した状態となっており、従って、折返壁３Ｂを折り曲げると、折込片１４は側壁１２Ｂと折返壁３Ｂとの間に挟まれ、固定される。この場合、折込片１４は、折返壁３Ｂが側壁１２Ｂと同一形状に形成されているので、折返壁３Ｂの左右両端が側壁１２Ａ、１２Ｃに当接して、しっかりと挟着される。さらに、折込片５Ｂが側壁１２Ｂ（天壁１１）の横寸と同一の矩形に形成され、且つ折込片５Ｂの両端に係止段部１６が形成されているので、図２に示すように、折込片５Ｂが天壁１１に重合し、且つ第一係止片１６ａが側壁１２Ａ、１２Ｃに重合し、第二係止片１６ｂが折返壁３Ｂ及び折込片５Ｂに当接するので、これら折込片５Ｂ、係止段部１６（第一係止片１６ａ、第二係止片１６ｂ）がストッパーとして機能して折返壁３Ｂの移動を規制し、その結果、折返壁３Ｂは強固に固定され、これにより折込片１４は、より強固に折返壁３Ｂと側壁１２Ｂとで挟着される。
【００３９】
４．係止段部１６の構成
上述したように、蓋１０が組み立てられると、隣接する側壁１２Ａ〜１２Ｄの稜部４箇所の上端には、身箱５０の周壁３０の上端３０Ａに係止する係止段部１６が折り込まれて形成されることになる。この場合、係止段部１６（第一係止片１６ａ、第二係止片１６ｂ）は、図５に示すように、その下辺が天壁１１（折込片５Ｂ）よりほぼＴ３（図１も併せ参照）の長さだけ下側に位置することになる。このＴ３の長さ、即ち係止段部１６の高さは、予め商品８０の露出部分の高さＴ４よりもやや長く形成される。つまり、係止段部１６の高さＴ３は、身箱５０に収容する商品８０の露出部分の高さＴ４に対応して形成されることになる。
【００４０】
また、図４（Ａ）に示すように、第一係止片１６ａは、隣接する側壁１２Ａ、１２Ｂ又は側壁１２Ｂ、１２Ｃの稜部から所定区間の長さだけ離れた位置に配置され、第二係止片１６ｂは、第一係止片１６ａの端部から延びて斜め内向きに突出した状態で、その端部が折返壁３Ｂと当接している。つまり、第二係止片１６ｂは、折返壁３Ｂと第一係止片１６ａとの間に斜め状に配置されている。
【００４１】
このように構成された係止段部１６を有する蓋１０を身箱５０に外嵌すると、図５に示すように、係止段部１６の下端が身箱５０の周壁３０の上端３０Ａに係止する。さらに、蓋１０の天壁１１（折込片５Ｂ）は、身箱５０の上端３０ＡからほぼＴ３の高さ分だけ上方に保持され、一方商品８０の露出部分の高さ、換言すれば身箱５０の上端３０Ａから上方に突出している高さＴ４は、このＴ３よりも短いので、商品８０と蓋１０の天壁１１（折込片５Ｂ）とは、所定の隙間（Ｔ３−Ｔ４）が形成されて接触することはない。これにより、包装箱１は、商品８０の上部が露出する身箱５０を使用していても、この包装箱１を何段にも重ねたり、輸送時に他の物が載せられたりしても、商品８０に直接的に荷重がかることを防止でき、商品を傷めることはない。
【００４２】
５．包装箱１の効果
（１）商品８０の上部が露出す身箱５０の蓋１０を組み立てる際、ホットメルトなどの接着剤を使用することなく、折込片１４を固定して係止段部１６を形成することができるので、接着するための専用機が必要なく、その結果、生産コストを抑えることができる。また、接着剤を使用しないので、小ロットの生産にも手組（機械組に対して手折り製函）で容易に対応することも可能となり、さらに、組み立てた蓋１０を容易に元の一枚のシート材５１に戻すこともできる。
【００４３】
（２）折込片１４を折返壁３Ｂと側壁１２Ｂとで挟着して固定する際、折込片５Ｂ、係止段部１６（第一係止片１６ａ、第二係止片１６ｂ）がストッパーとして機能して折返壁３Ｂの移動を規制するので、その結果、接着剤を使用しなくても、強固に折込片１４を折返壁３Ｂと側壁１２Ｂとで挟着して固定することができる。
【００４４】
（３）身箱５０に収容する商品８０の露出する高さ（Ｔ４）が異なる場合であっても、係止段部１６の高さ（Ｔ３）を変更するだけ（一方向だけの変更）で極めて容易に対処することができ、その結果、包装箱１は、身箱５０から露出する高さの異なる様々な商品８０を容易に収容することが可能となる。
【００４５】
（４）係止段部１６は、定位置に固定するためのロックが不要な構成、即ち折込片５Ｂにより第一係止片１６ａが側壁１２Ａ、１２Ｃに重合し、第二係止片１６ｂが折返壁３Ｂ及び折込片５Ｂに当接するように固定されているので、蓋１０の側壁１２Ａ、１２Ｂ、１２Ｃ、１２Ｄ等に穴を開けて係止段部１６をロックする必要がなく、その結果、美粧性に優れた包装箱１を形成することができる。
【００４６】
以上、本考案の包装箱１を図面に基づいて説明してきたが、具体的な構成は実施形態に示したものに限定されるものではなく、本考案の要旨を逸脱しない範囲における変更や追加などがあっても本発明に含まれる。例えば、折込片５Ｂ、５Ｄは矩形状に形成したが、折込片５Ｂ、５Ｄの折返壁３Ｂ、３Ｄと反対側の辺は、直線以外の曲線で円弧状に形成するようにしてもよい。また、シート材５１は、段ボール以外の板紙であってもよい。
【符号の説明】
【００４７】
１…包装箱、  ３Ｂ、３Ｄ…折返壁、
５Ｂ、５Ｄ、１４…折込片、  １０、Ｐ１０…蓋、
１１…天壁、  １２、３０…周壁、
１２Ａ、１２Ｂ、１２Ｃ、１２Ｄ、Ｐ１２Ａ、Ｐ１２Ｂ、Ｐ１２Ｃ、Ｐ１２Ｄ…側壁、  Ｐ１４…糊代、  １６、Ｐ１６…係止段部、
１６ａ、１６ｃ…第一係止片、  １６ｂ、１６ｄ…第二係止片、
１７〜２５…折曲線、  ３０Ａ…上端、
５０…身箱、  ５１、Ｐ５１…シート材、
８０…商品
【図１】
0003174217.tif 000003
【図２】
0003174217.tif 000004
【図３】
0003174217.tif 000005
【図４】
0003174217.tif 000006
【図５】
0003174217.tif 000007
【図６】
0003174217.tif 000008
【図７】
0003174217.tif 000009
【図８】
0003174217.tif 000010
【図９】
0003174217.tif 000011